(57)【要約】【課題】出し入れ可能な仕切り板で遊技者間を仕切る間仕切りユニットであって、薄い仕切り板を使用可能な間仕切りユニットを供する。【解決手段】間仕切りユニット１０は、遊技機間に設置される縦長の収納部１１と、収納部１１に縦にして収納される複数枚の仕切り板１２（20,30）と、仕切り板１２の上部を支持して該仕切り板を吊り下げると共に、該複数枚の仕切り板を、重ね合わせて収納部に収納した状態と収納部から一列に連なるように引き出した状態とにスライド移動可能に収納部に取り付けるスライドレール１３と、後段の仕切り板の下部が該後段の仕切り板の前段の仕切り板の下部から該仕切り板の厚み方向に離れないように位置規制するガイド部１４（ガイドスリット４６、ガイドピン４７）を有する。また補強部材３４は第２仕切り板３０を波状に湾曲させて補強する。【選択図】図２
2014226482.tif 000002
【特許請求の範囲】
【請求項１】
遊技機間に設置される収納部と、
前記収納部に、縦にして収納される複数枚の仕切り板と、
前記仕切り板の上部を支持して該仕切り板を吊り下げると共に、該複数枚の仕切り板を、重ね合わせて前記収納部に収納した状態と前記収納部から一列に連なるように引き出した状態とにスライド移動可能に前記収納部に取り付けるスライドレールと、
後段の仕切り板の下部が該後段の仕切り板の前段の仕切り板の下部から該仕切り板の厚み方向に離れないように位置規制するガイド部と、
を有する
ことを特徴とする間仕切りユニット。
【請求項２】
前記ガイド部は、前記引き出し方向に沿ったスリットと、このスリットに係合されるピンとからなり、前記スリットとピンの一方が前記後段の仕切り板に設けられ、他方が前記後段の仕切り板の前段の仕切り板の下部に設けられる
ことを特徴とする請求項１に記載の間仕切りユニット。
【請求項３】
最も後段の仕切り板の前端部に補強部材を設けた
ことを特徴とする請求項１または２に記載の間仕切りユニット。
【請求項４】
前記補強部材は、該補強部材の設けられた仕切り板の前端部を湾曲させる
ことを特徴とする請求項３に記載の間仕切りユニット。
【請求項５】
前記複数枚の仕切り板が前記収納部から最も引き出された状態において前記最も後段の仕切り板の前端部と該仕切り板の前段の仕切り板の後端部とがオーバーラップし、
前記補強部材は、該補強部材の設けられた仕切り板の前端部を、該補強部材を頂として前記前段の仕切り板側に対して凸となるように湾曲させる
ことを特徴とする請求項４に記載の間仕切りユニット。
【請求項６】
前記仕切り板は、透明である
ことを特徴とする請求項１乃至５のいずれか１つに記載の間仕切りユニット。
【発明の詳細な説明】
【技術分野】
【０００１】
本発明は、隣接配置された遊技機で遊技を行う隣り合う遊技者の間を仕切る間仕切りユニットに関する。
【背景技術】
【０００２】
パチンコ機やスロットマシンなどの遊技機が複数併設された遊技機島においては、隣の遊技者からのタバコの煙や隣の遊技機からの音などを遮るために、各遊技者間を仕切る仕切り板が設けられる。通常、遊技者は遊技機の前方の腰掛けに座って遊技を行う。そのため、仕切り板は遊技機島から通路側へ大きく突出させなければ十分な効果を果たさない。しかし、常時、仕切り板を通路側へ大きく突出させると、遊技者が不在のときは邪魔になる。そこで、必要時に引き出して使用可能な収納式の仕切り板が提案されている。
【０００３】
たとえば、下記特許文献１には、仕切り板の下端を下方から支持する保持レールと仕切り板の上端を案内する保持レールをそれぞれ遊技機島の前面から通路側へ突出するように設け、これらの保持レールで仕切り板の上下を挟むように支持した間仕切りユニットが開示されている。仕切り板は上下の保持レールに沿ってスライド移動して出し入れされる。
【０００４】
また、下記特許文献２には、上下に設けたスライドレールによって仕切り板を出し入れ可能に支持する構成が開示されている。
【先行技術文献】
【特許文献】
【０００５】
【特許文献１】登録実用新案第３１６７６９７号
【特許文献２】特開２００７−１４４１２０号公報
【発明の概要】
【発明が解決しようとする課題】
【０００６】
特許文献１に開示の間仕切りユニットの場合、仕切り板は下側の保持レールの上に載置されている。すなわち、下側の保持レールは仕切り板をガイドすると共に仕切り板のすべての重さを支える機能を果たし、上側の保持レールは仕切り板の上部をガイドする機能のみを果たす。そのため、仕切り板は、自重により曲がらないような強度と厚みが必要になる。
【０００７】
このように、出し入れ可能に支持するために仕切り板を厚くして強度を高めると、コストが高くなる。また、厚みが増せば透明度が低下するので遊技者の手元を店員等が見難くなり、不正行為を見つけ難くなる。
【０００８】
特許文献２に開示された構成では、仕切り板の上下をスライドレールで支持するので、薄い仕切り板を使用することができる。しかし、下側のスライドレールは、遊技者の手元付近の視認性を阻害し、不正行為が見つけ難くなる。また、仕切り板を上下共にスライドレールで支持すると、部材のコストが高くなると共に、組み立て工数も増えてしまう。
【０００９】
また、特許文献１，２に開示された構成では、保持レールやスライドレールで仕切り板をその上部と下部でしっかりと保持するので、音の反射率が高くなる。そのため、遊技者の左右両側の仕切り板を引き出した場合に、これらの仕切り板に挟まれた狭い空間内で音が反響し易くなり、反響する音を遊技者が不快に感じることがある。
【００１０】
本発明は、上記の問題を解決しようとするものであり、出し入れ可能な仕切り板で遊技者間を仕切る間仕切りユニットであって、薄い仕切り板を使用可能な間仕切りユニットを提供することを目的としている。また、音の反射が少ない間仕切りユニットを提供することを第２の目的としている。
【課題を解決するための手段】
【００１１】
かかる目的を達成するための本発明の要旨とするところは、次の各項の発明に存する。
【００１２】
［１］遊技機間に設置される収納部と、
前記収納部に、縦にして収納される複数枚の仕切り板と、
前記仕切り板の上部を支持して該仕切り板を吊り下げると共に、該複数枚の仕切り板を、重ね合わせて前記収納部に収納した状態と前記収納部から一列に連なるように引き出した状態とにスライド移動可能に前記収納部に取り付けるスライドレールと、
後段の仕切り板の下部が該後段の仕切り板の前段の仕切り板の下部から該仕切り板の厚み方向に離れないように位置規制するガイド部と、
を有する
ことを特徴とする間仕切りユニット。
【００１３】
上記発明では、仕切り板は、収納部にスライド移動して出し入れされ、引き出された状態では、隣り合う遊技機で遊技を行う遊技者間を仕切る間仕切りとなる。仕切り板は、スライドレールによって上部を吊り下げるように支持され、下部はガイド部によって仕切り板の厚み方向に位置規制される。
【００１４】
［２］前記ガイド部は、前記引き出し方向に沿ったスリットと、このスリットに係合されるピンとからなり、前記スリットとピンの一方が前記後段の仕切り板に設けられ、他方が前記後段の仕切り板の前段の仕切り板の下部に設けられる
ことを特徴とする［１］に記載の間仕切りユニット。
【００１５】
上記発明では、ガイド部は、スリットと、このスリットに係合されるピンとから構成される。簡易な構成で仕切り板の下部を位置規制することができる。また、仕切り板の熱膨張によるサイズの変化分をスリットの遊びで逃がすことができる。
【００１６】
［３］最も後段の仕切り板の前端部に補強部材を設けた
ことを特徴とする［１］または［２］に記載の間仕切りユニット。
【００１７】
上記発明では、補強部材で補強することで、より薄くて強度の低い仕切り板を採用することができる。
【００１８】
［４］前記補強部材は、該補強部材の設けられた仕切り板の前端部を湾曲させる
ことを特徴とする［３］に記載の間仕切りユニット。
【００１９】
上記発明では、補強部材で仕切り板を湾曲させることで、仕切り板の引き出し方向の強度を高める。
【００２０】
［５］前記複数枚の仕切り板が前記収納部から最も引き出された状態において前記最も後段の仕切り板の前端部と該仕切り板の前段の仕切り板の後端部とがオーバーラップし、
前記補強部材は、該補強部材の設けられた仕切り板の前端部を、該補強部材を頂として前記前段の仕切り板側に対して凸となるように湾曲させる
ことを特徴とする［４］に記載の間仕切りユニット。
【００２１】
上記発明では、補強部材は、仕切り板を波状に湾曲させると共に、補強部材の設けられた仕切り板の縦方向の中央部分をその前段の仕切り板から離れないように機能する。
【００２２】
［６］前記仕切り板は、透明である
ことを特徴とする［１］乃至［５］のいずれか１つに記載の間仕切りユニット。
【００２３】
上記発明では、不正行為の防止に貢献する。また、遊技者に圧迫感を与えない。
【発明の効果】
【００２４】
本発明に係る間仕切りユニットによれば、薄い仕切り板を使用することができる。また、引き出した仕切り板の支持部材が遊技者の手元の視認性を阻害しない。また、仕切り板による音の反響が抑制される。
【図面の簡単な説明】
【００２５】
【図１】本発明の実施の形態に係る間仕切りユニットを適用した遊技機島の一例を示す斜視図である。
【図２】本実施の形態に係る間仕切りユニットを正面斜め方向から見た斜視図である。
【図３】本実施の形態に係る間仕切りユニットを背面斜め方向から見た斜視図である。
【図４】仕切り板を引き出した状態の間仕切りユニットを示す正面図である。
【図５】仕切り板を引き出した状態の間仕切りユニットを示す背面図である。
【図６】仕切り板を収納した状態の間仕切りユニットを示す正面図である。
【図７】補強部材を示す斜視図である。
【図８】補強部材によって波状に湾曲した第２仕切り板を示す図である。
【図９】補強部材の他の構成を示す斜視図である。
【図１０】遊技者の両側に引き出された第２仕切り板の間で生じる音の反射を示す図である。
【発明を実施するための形態】
【００２６】
以下、図面に基づき本発明の実施の形態を説明する。
【００２７】
図１は、本発明の実施の形態に係る間仕切りユニット１０を適用した遊技機島２の一例を示している。遊技機島２は、パチンコ機、パチスロ機などの遊技機３と遊技者に遊技媒体（パチンコ球、メダルなど）を貸し出す遊技球貸機４と本実施の形態に係る間仕切りユニット１０とを一組としたものを、島の表裏面のそれぞれに複数組併設収容している。間仕切りユニット１０は、遊技機３と遊技機３の間に設置される。各遊技機３の手前側の通路には遊技者が座るための椅子５が設置されている。
【００２８】
図２は本実施の形態に係る間仕切りユニット１０を正面斜め方向から見た斜視図であり、図３は間仕切りユニット１０を背面斜め方向から見た斜視図である。図４は仕切り板１２を引き出した状態の間仕切りユニット１０の正面図であり、図５は仕切り板１２を引き出した状態の間仕切りユニット１０の背面図である。図６は仕切り板１２を収納した状態の間仕切りユニット１０の正面図である。
【００２９】
各図に示すように、間仕切りユニット１０は、遊技機３と隣の遊技機３との間に設置される縦長で薄型の収納部１１と、収納部１１に引き出し可能に収納される複数枚の仕切り板１２と、仕切り板１２の上部を支持して該仕切り板１２を吊り下げると共に、複数枚の仕切り板１２を、重ね合わせて収納部１１に収納した状態と収納部１１から一列に連なるように引き出した状態とにスライド移動可能に収納部１１に取り付けるスライドレール１３と、後段の仕切り板１２の下部が前段の仕切り板１２の下部から、仕切り板１２の厚み方向に離れないように位置規制するガイド部１４とを備えて構成される。
【００３０】
複数枚の仕切り板１２は、具体的には、１段目の第１仕切り板２０と、第１仕切り板２０よりさらに引き出される２段目の第２仕切り板３０とからなる。第１仕切り板２０は収納部１１に取り付けられ、第２仕切り板３０は第１仕切り板２０に取り付けられている。第１仕切り板２０、第２仕切り板３０はいずれも透明な樹脂（たとえば、アクリル）で形成されており、復元可能に曲がるような柔軟性と弾性を備えた薄板である。たとえば、下端のみを持って縦に支持したとき、自重で曲がる（撓む）程度である。厚みは、１．５ｍｍ程度である。以後、収納部１１への収納方向側を「前」、引き出し方向側を「後」とする。また、各仕切り板２０、３０において、収納部１１への収納方向側の端縁を前縁とする。
【００３１】
第１仕切り板２０は、縦長の長方形を成しており、収納位置では収納部１１に全体がほぼ収納される（図６参照）。また、第１仕切り板２０は引き出し位置（最も引き出した位置）でも、前縁全体が収納部１１から出ないようにされている（図４、図５参照）。
【００３２】
第２仕切り板３０は、縦方向の長さは第１仕切り板２０より僅かに短く、引き出し方向の長さは第１仕切り板２０より長くされている。第２仕切り板３０は、収納位置では、後端部が、持ち手となる部分として、収納部１１から出た状態になる（図６参照）。第２仕切り板３０は、引き出し位置では、引き出された第１仕切り板２０からさらに引き出されて全体が収納部１１から出る（図４、図５参照）。ただし、一杯に引き出された状態でも前段の第１仕切り板２０の後端部と第２仕切り板３０の前端部とが縦方向全体に渡ってオーバーラップするようにされている。
【００３３】
図３に示すように、収納部１１は、縦長の長方形の板部１５と該板部１５の一方の縦辺のほぼ全体から９０度に屈曲して１ｃｍほどの高さに伸びた縁壁１６とを備えて構成される。収納部１１は剛性の高い金属板などで構成される。
【００３４】
収納部１１の板部１５に対して、第２仕切り板３０と第１仕切り板２０がこの順で平行に重なるようにして収納される。すなわち、収納部１１の板部１５と第１仕切り板２０との間には第２仕切り板３０を収めるための隙間が形成され、収納位置では、収納部１１の板部１５と第１仕切り板２０との間に第２仕切り板３０が収納される。
【００３５】
スライドレール１３は、収納部１１の板部１５に対して第１仕切り板２０を出し入れ可能に支持する１段目スライドレール４１，４２と、第１仕切り板２０に対して第２仕切り板３０をスライド移動可能に支持する２段目スライドレール４３、４４とから構成される（図３、４参照）。
【００３６】
１段目スライドレール４１、４２は、板部１５のうち縁壁１６のある側の面（裏面とする）の上端部に沿って設けられた１段目外レール４１と、該１段目外レール４１に係合してスライドする１段目内レール４２とから構成される。１段目内レール４２は第１仕切り板２０の表面（収納部１１の板部１５の裏面と対向する面）の上端に沿って取りつけられる。
【００３７】
２段目スライドレール４３、４４は、第１仕切り板２０の表面の上部であって１段目内レール４２の直ぐ下方に設けられた２段目外レール４３と、２段目外レール４３に係合してスライドする２段目内レール４４とから構成される。２段目内レール４４は第２仕切り板３０の上端の裏面に沿って取り付けられる。なお、２段目内レール４４は第２仕切り板３０の上部途中（前端から2/3位）までで終端しているため、遊技者や店員がぶつかった際に第２仕切り板３０がより曲がり易く衝撃をうまく受け流すことができる。
【００３８】
仕切り板１２の下部を支持するガイド部１４は、板部１５の下端部に設けられて第１仕切り板２０の下部が挿入される案内溝４５ａを備えた案内部４５と、第１仕切り板２０の下部に、出し入れ方向に沿って設けられたガイドスリット４６と、第２仕切り板３０の下部に設けられて、第１仕切り板２０の下部のガイドスリット４６に係合するガイドピン４７とから構成される。ガイドスリット４６の両端は、第１仕切り板２０の前端および後端から１〜２ｃｍ離れた位置にある。
【００３９】
引き出し方向の第１仕切り板２０の下端は案内部４５の案内溝４５ａの底から浮いた状態にある。ガイドピン４７は、第２仕切り板３０の下部の前縁寄りに設けられている。ガイドピン４７にＥリングを嵌めることでガイドピン４７がガイドスリット４６から抜けないようにされる。
【００４０】
スライドレール１３（４１〜４４）は、第１仕切り板２０および第２仕切り板３０の上部を吊り下げるようにして支持し、それらの重みを受け止めると共に、第１仕切り板２０および第２仕切り板３０がスライド移動する範囲や第１仕切り板２０および第２仕切り板３０の厚み方向の位置を規制する。
【００４１】
一方、ガイド部１４は第１仕切り板２０および第２仕切り板３０の加重を受け止める機能は果さず、専ら、第１仕切り板２０および第２仕切り板３０の厚み方向の位置を規制する。すなわち、第１仕切り板２０の下部は、案内部４５の案内溝４５ａに該案内溝４５ａの底に着かない程度に入った状態でスライドするので、案内溝４５ａによって厚み方向の位置が規制され、その方向に揺動することはない。また、第２仕切り板３０の下部は、ガイドピン４７が第１仕切り板２０のガイドスリット４６に係合した状態でスライドする。これにより、第２仕切り板３０の下部の前端部は、ガイドピン４７によって位置規制され、第１仕切り板２０の下端から離れず第１仕切り板２０に沿った状態に維持され、第１仕切り板２０から離れて第１仕切り板２０の厚み方向に揺動することはない。熱膨張した際には、ガイドスリットに遊びが在るため、熱膨張を吸収する役目も在る。
【００４２】
仮に、仕切り板１２の上部と下部の双方をスライドレールで支持する構成にすると、各仕切り板１２の上下の位置が収納部１１に対して固定されるので、仕切り板１２が熱膨張した際のサイズの増加分の逃げ場がなく、仕切り板１２が撓んでしまう。間仕切りユニット１０では、第１仕切り板２０と第２仕切り板３０の下部をガイドスリット４６にガイドピン４７を係合させて連結させているので、熱膨張によるサイズの増加分をガイドスリットの遊びで逃がすことができる。よって熱膨張で仕切り板１２が撓んで、出し入れに支障が生じることはない。なお、案内部４５においても第１仕切り板２０の下端が案内溝４５ａの底から浮いているので、第１仕切り板２０の熱膨張によるサイズの増加分を逃がすことができる。
【００４３】
第２仕切り板３０の前端部の縦方向の中央には、補強部材３４が取り付けてある。補強部材３４は、図７に示すように、矩形の２枚の平行な板を同一方向に湾曲させて備える断面コの字状の高剛性の部材である。２枚の板の間隔は第２仕切り板３０の厚みに対応しており、補強部材３４は、２枚の板の間に第２仕切り板３０の前端部を挟み込むようにして第２仕切り板３０に取り付けられる。
【００４４】
補強部材３４を、第１仕切り板２０に対して凸となる向きで第２仕切り板３０の前端部に取り付けることで、図８に示すように、第２仕切り板３０が波状に湾曲する。詳細には、第２仕切り板３０の前端部の縦方向の略中央に補強部材３４を第１仕切り板２０に対して凸となる向きに取り付けると、補強部材３４を頂として第２仕切り板３０の補強部材３４近傍部分が第１仕切り板２０に対して凸となるように湾曲する。また、第１仕切り板２０の上部と第２仕切り板３０の上部はスライドレール１３で連結され、第１仕切り板２０の下部と第２仕切り板３０の下部はガイド部１４によって連結されているので、上記の凸となった湾曲部分の上下の両側から第２仕切り板３０の上下両端にかけて第２仕切り板３０が第１仕切り板２０に対して凹となるように湾曲する。その結果、第２仕切り板３０の前縁部が波状に湾曲する。
【００４５】
この波状の湾曲により、第２仕切り板３０の腰が強くなって、水平方向（引き出し方向）の変形に対する強度が上がる。
【００４６】
なお、補強部材３４に代えて、図９に示すような、湾曲した矩形の板が１枚のみの断面Ｌ字状の補強部材３４ｂを使用してもよい。この場合、補強部材３４ｂを第２仕切り板３０の前縁部に接着剤等で貼り付ければよい。
【００４７】
このほか、第２仕切り板３０の引き出し方向の端縁（後縁）は、ゴムなどの柔軟で弾性のある保護カバー５１で覆ってある（図３、４参照）。保護カバー５１は、怪我を防止して安全性を高める作用を果たす。保護カバー５１は、第２仕切り板３０のうち、遊技者が直接、手で触れることのある端縁の全部または一部に設けられる。
【００４８】
次に、間仕切りユニット１０の作用を説明する。
【００４９】
間仕切りユニット１０は、仕切り板１２（第１仕切り板２０および第２仕切り板３０）を収納部１１から引き出すことで、隣りあう遊技者間を仕切ることができる。これにより、隣の遊技者のタバコの煙や、隣の遊技機３や遊技球貸機４からの音、隣の遊技者の声などを遮ることができ、より快適な個人の空間が形成される。
【００５０】
また、間仕切りユニット１０の仕切り板１２は透明であり、特に仕切り板１２の下部に設けたガイド部１４は、ガイドレールのように視界を遮らないので、仕切り板１２を引き出した状態でも、遊技者の手元を遊技場の店員や監視カメラが監視する際に視認性が低下せず、不正行為を防止することができる。
【００５１】
また、仕切り板１２を薄くしたので、間仕切りユニット１０の製造コストを安価にすることができる。仕切り板１２を薄くすることで間仕切りユニット１０全体としての厚みも薄くなり、既存の遊技機島２では、予め設置された台数を減らすことなく間仕切りユニット１０を隣り合う各遊技機３の間に追加設置することができる。
【００５２】
仕切り板１２は、薄くて、復元可能に自重で曲がるような柔軟性と弾性を備えているので、遊技者や遊技場の店員が仕切り板１２にぶつかった場合でも、仕切り板１２はその衝撃を受け流す。これにより、ぶつかった店員や遊技者の怪我が防止される。また、遊技者や遊技場の店員が仕切り板１２にぶつかった際の衝撃が遊技機島２へ伝わり難いので、この衝撃によって遊技機３が揺れて遊技に影響を与えてしまうといったことが防止される。たとえば、上記の衝撃が遊技機３に伝わると、パチンコ球の挙動に影響を与えてしまい、遊技者に不快感や迷惑を与えることがあるが、本実施の形態の間仕切りユニット１０ではそのような事態が防止される。
【００５３】
また、間仕切りユニット１０は、スライド移動により仕切り板１２を収納部１１に収納可能なので、収納できないタイプや回動させて収納させるタイプのものに比べて、遊技場の店員が遊技機３等の前で行う各種作業の作業性が向上する。たとえば、遊技者が店員を呼び出した際、店員は、遊技者の隣に来て、呼出しランプを解除し、玉箱交換、たばこやジュースなどの受け渡しを行う。このような作業の際に店員の体や手が仕切り板１２を遊技機島２側へ押す方向に当たることが多々あるが、店員の体や手が仕切り板１２に当たったときに仕切り板１２が収納部１１側へ容易にスライドするので、当たった衝撃で熱いコーヒーやジュースがこぼれたりすることが防止される。その結果、店員がわざわざ仕切り板１２を収納する等が不要になる。また、店員が仕切り板１２にぶつかって怪我をしたり、こぼれた熱いコーヒーが遊技者にかかってしまったりする等の事故が防止される。
【００５４】
また、遊技者が席を立つ際には、仕切り板１２が柔軟に曲がるため、いちいち仕切り板１２を収納せずに、席を立つことができる。すなわち、席を離れようとする遊技者の体が仕切り板１２に当たっても、仕切り板１２が柔軟に曲がるので、遊技者は強い衝撃を受けたりすることなく、仕切り板１２を体や手で押し曲げながら、そのまま席を立つことができる。また、遊技者が仕切り板１２を収納して席を立つ場合でも、仕切り板１２が薄く軽いので、仕切り板１２を容易に出し入れすることができる。
【００５５】
また、補強部材３４を設けることで前述したように第２仕切り板３０を波状に湾曲させているので、遊技者の左右両側の仕切り板１２が引き出された場合でも、これらの仕切り板１２の間で音が反射を繰り返して反響することが防止される。
【００５６】
図１０に示すように、仮に、左右の仕切り板１２が湾曲のない平らな板の場合には、遊技機３等で生じた音が左右の平行な仕切り板１２の間で何度も反射を繰り返すので、遊技者に不快感を与えてしまう。これに対し、本実施の形態の間仕切りユニット１０では、第２仕切り板３０が波状に湾曲しているので、音が乱反射して反射回数が減り、遊技者の不快感を低減させることができる。
【００５７】
特に、補強部材３４を第２仕切り板３０の縦方向の略中央に設けると、その設けられた高さが、遊技者の耳の位置近くになるため、反射音が遊技者の耳元以外に向けて誘導され、遊技者の耳に届く音を低減することができる。
【００５８】
また、仕切り板１２（２０、３０）の下部は、ガイドスリット４６とガイドピン４７で位置規制されているだけなので、仕切り板１２は音を受けると振動し、音の反射率が低減されている。また、熱膨張等によるサイズの変動に対応することができる。
【００５９】
なお、仮に、第２仕切り板３０の前縁全体を補強すると、第２仕切り板３０が音を受けて振動し難くなり、音の反射率が高くなるが、本実施の形態にかかわる間仕切りユニット１０では、前述したように補強部材３４を第２仕切り板３０の前縁の縦方向の中央部のみに設けているので、振動が補強部材３４によって規制され難く、音の反射率を抑えることができる。
【００６０】
また、補強部材３４は、第２仕切り板３０の前縁の縦方向の中央部を第１仕切り板２０から離れないように位置規制する役割も果たしている。すなわち、図８に示すように、第２仕切り板３０の中央部（補強部材３４が設けられた箇所）は第１仕切り板２０側に押し付けられた状態に維持される。その結果、第２仕切り板３０を収納部１１へ収納する際に、第２仕切り板３０の前縁全体が第１仕切り板２０に沿って進み、円滑に収納部１１（詳細には収納部１１の板部１５と第１仕切り板２０の間）へ進入する。なお、図８では、波状の湾曲を誇張して示してあり、実際には僅かの湾曲のため、湾曲が収納部１１への収納に支障を与えることはない。
【００６１】
第２仕切り板３０の前縁は、収納部１１の入口にぶつかることがないので、収納部１１の入口にぶつかる衝撃で、第２仕切り板３０が破損（ひび割れや欠け）することがない。
【００６２】
また、仕切り板１２を一杯に引き出した状態でも１段目の第１仕切り板２０の前縁全体が収納部１１の中にあり、１段目の第１仕切り板２０の後端部と２段目の第２仕切り板３０の前端部とが縦方向の全体に渡ってオーバーラップしている。そのため、収納部１１と第１仕切り板２０の前縁との間や第１仕切り板２０の後端部と第２仕切り板３０の前端部との間に隙間ができないので、隣の席からのタバコの煙や音を効果的に遮ることができる。
【００６３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６４】
収納部１１は、仕切り板１２を出し入れするための入口を備えた箱状に構成されてもよい。
【００６５】
実施の形態では、２段に引き出す構成例を示したが、仕切り板１２の段数は任意でよく、１段のみでも、３段以上でもかまわない。
【００６６】
実施の形態では、ガイド部１４をガイドスリット４６とガイドピン４７で構成したが、仕切り板１２の厚み方向に位置規制可能であれば、他の構成でもかまわない。たとえば、第１仕切り板２０の下部に案内溝４５ａのような溝を形成し、この溝の中を第２仕切り板３０の下端をスライド移動するといった構成でもよい。
【００６７】
仕切り板１２は透明に限定されないが、少なくとも遊技者の手元近くは透明であることが望ましい。また仕切り板１２の厚みや柔軟性は実施の形態で示した例に限定されない。復元可能に曲がるものであれば、縦にしたときに自重で曲がるほど柔軟なものでなくてもかまわない。
【００６８】
実施の形態では、補強部材３４を第２仕切り板３０の前縁の縦方向の中央部分にのみ設けたが、２箇所、３箇所に補強部材３４を設けてもよいし、第２仕切り板３０の前縁全体に渡って補強部材３４を設けてもよい。この場合、補強部材３４を波状に湾曲した形状とし、第２仕切り板３０を図８、図１０と同様に波状に湾曲させることが望ましい。
【００６９】
また補強部材３４は、必ずしも湾曲した形状に限定されず、直線形状以外（非直線）であればよい。たとえば、Ｖ字の角部分を湾曲させた形状などでもかまわない。
【００７０】
実施の形態では、第１仕切り板２０より第２仕切り板３０の引き出し方向の長さを大きくしたが、第１仕切り板２０と同一のサイズでも、第１仕切り板２０より小さくてもかまわない。
【００７１】
また遊技機島２は、実施の形態で例示した遊技機３（パチンコ機）と遊技球貸機４を収容する構成に限定されず、スロットマシンとメダル貸機等を収容する遊技機島２でもかまわない。
【符号の説明】
【００７２】
２…遊技機島
３…遊技機
４…遊技球貸機
５…椅子
１０…間仕切りユニット
１１…収納部
１２…仕切り板
１３…スライドレール
１４…ガイド部
１５…板部
１６…縁壁
２０…第１仕切り板
３０…第２仕切り板
３４、３４ｂ…補強部材
４１…１段目外レール
４２…１段目内レール
４３…２段目外レール
４４…２段目内レール
４５…案内部
４５ａ…案内溝
４６…ガイドスリット
４７…ガイドピン
５１…保護カバー
【図１】
2014226482.tif 000003
【図２】
2014226482.tif 000004
【図３】
2014226482.tif 000005
【図４】
2014226482.tif 000006
【図５】
2014226482.tif 000007
【図６】
2014226482.tif 000008
【図７】
2014226482.tif 000009
【図８】
2014226482.tif 000010
【図９】
2014226482.tif 000011
【図１０】
2014226482.tif 000012